(57)【特許請求の範囲】
【請求項１】
デジタルインタフェースにより連結された複数個の機器に対する連結管理を遂行するデジタルインタフェースの連結管理方法において、
（ｐａ−１）前記複数個の機器のうちの第２の機器と連結を行った、レジスタを内蔵する第１の機器が、動作モードを、該連結に重畳的に連結し得る通常的な動作を遂行するノーマルモードから、該連結に重畳的に連結し得ない非通常的な動作を遂行するプライベートモードに遷移することを要求する命令語を受信する段階と、
（ｐａ−２）前記第１の機器が前記命令語に応答して前記プライベートモードに遷移する段階と、
（ｐａ−３）前記第１の機器が前記レジスタのうちの関連レジスタにアクセスできる権利を有する機器を識別して識別された該機器の情報を貯蔵する段階と、
（ａ）前記第１の機器の前記関連レジスタに対する前記第３の機器のアクセス要求がある場合に、該第３の機器が該関連レジスタにアクセスできる権利を有するかどうかを前記プライベートモードに遷移した該第１の機器が判断する段階と、
（ｂ）前記第３の機器が前記関連レジスタにアクセスできる権利を有すると判断された場合、前記第１の機器は、該第３の機器のアクセス要求に応じる段階とを含むことを特徴とするデジタルインタフェースの連結管理方法。
【請求項２】
前記プライベートモードへの遷移の要求は、前記命令語により機器全体、サブユニットまたは特定出力プラグを単位としてなされ、
前記第１の機器は、前記命令語に応答して前記機器全体、前記サブユニットまたは前記特定出力プラグを単位として前記プライベートモードに遷移することを特徴とする請求項１に記載のデジタルインタフェースの連結管理方法。
【請求項３】
前記（ｂ）段階は、
（ｂ−２）前記第３の機器が前記関連レジスタにアクセスできる権利を有しないと判断された場合には、前記第１の機器から前記第３の機器にエラーコードをリターンする段階をさらに含むことを特徴とする請求項１に記載のデジタルインタフェースの連結管理方法。
【請求項４】
（ａ−１）前記第１の機器に連結された前記第２の機器が、該第１の機器から出力されて該第２の機器に表示されているビットストリームをプライベートに管理しようとする使用者の要求に対応して、前記命令語を該第１の機器に発送する段階を含むことを特徴とする請求項１記載のデジタルインタフェースの連結管理方法。
【請求項５】
前記使用者の要求は、
前記第２の機器を制御するためのリモコンによって該第２の機器に伝えられることを特徴とする請求項４に記載のデジタルインタフェースの連結管理方法。
【請求項６】
前記デジタルインタフェースは、
IEEE-１３９４標準に準ずるものであることを特徴とする請求項１乃至請求項５中いずれか一つに記載のデジタルインタフェースの連結管理方法。
【発明の詳細な説明】
【０００１】
【発明の属する技術分野】
本発明はデジタルインタフェースを通じて接続されたデジタル装置間の連結管理を遂行するデジタルインタフェースの連結管理方法に係り、より詳細にはIEEE-１３９４のようなデジタルインタフェースを通じて接続されたデジタル装置間に接続が設定されている時、既存連結を通じて他の第３者装置のアクセスを制御できるようにするデジタルインタフェースの連結管理方法に関する。
【０００２】
【従来の技術】
複数個のデジタル装置はIEEE-１３９４標準のようなインタフェース標準に準ずるデジタルインタフェースを通じて相互連結されうり、このようなデジタル機器間の連結管理方法はIEC-６１８８３標準で規定されている。IEC-６１８８３標準によれば、各デジタル機器に対してビットストリームが流れ込む入口として入力プラグと、ビットストリームが流れ出る出口として出力プラグを定義し、各機器が内部に有しているoMPR(output master plug register)、oPCR(output plug control register)、iMPR(input master plug register)及びiPCR(input plug control register)のレジスターを管理することによって入力プラグと出力プラグを制御し、これによりデジタル機器間の連結管理を遂行する。
【０００３】
このようなデジタル機器間でなされる連結の形態としては、点対点連結とブロードキャスト連結がある。点対点連結は出力プラグと入力プラグ、及びこれら間のチャンネルで構成される連結であって、任意の機器がその連結を設定及びオーバレーでき、その連結を設定した機器がその連結に対する全ての管理を担当するようになっている連結である。また、ブロードキャスト連結はブロードキャストイン連結とブロードキャストアウト連結とに区分されるが、ブロードキャストイン連結は入力プラグとチャンネルとの連結に該当し、ブロードキャストアウト連結は出力プラグとチャンネルとの連結に該当する。ブロードキャスト連結は実際にこの連結によってビットストリームを入出力する機器だけ設定でき、連結の解除だけをネットワーク上の任意の機器が遂行できる。このような点対点連結及びブロードキャスト連結の設定や解除を含む全ての管理は、oMPR、oPCR、iMPR、及びiPCRなどのレジスターを管理することによって遂行される。
【０００４】
図１は従来の連結管理方法を説明するための図であり、図２にはIEC-６１８８３規格で用いられるoPCR及びiPCRレジスターの連結関連フィールドを示した。図１及び図２を参照するに、DVCR１０、第１DTV１２及び第２DTV１４がIEEE-１３９４インタフェースによって連結される。また、ソース機器のDVCR１０とシンク機器の第１DTV１２は等時性チャンネル(iso channel)３３番を通じて連結されると仮定する。このような連結が点対点連結に該当する場合にはDVCR１０のoPCRの内容はoPCR.P-２-P_Connection_Counter(P-２-Pcnt)＝１、oPCR.Channel_Number(nCh)＝３３になり、第１DTV１２のiPCRの内容はiPCR.P-２-P_Connection_Counter(P-２-Pcnt)＝１、iPCR.Channel_Number(nCh)＝３３になる。また、iPCRとoPCRの操作が成功的に遂行されればDVCR１０と第１DTV１２の点対点連結が設定されたとし、このような点対点連結設定状態を表示する連結設定情報によってDVCR１０と第１DTV１２のIEEE-１３９４モジュールを制御することにより、DVCR１０の出力内容を第１DTV１２が入力されうるようになる。
【０００５】
このように、DVCR１０と第１DTV１２との連結が設定されている状態でシンク機器の第２DTV１４がDVCR１０の現在出力内容を見ようとする場合には、第２DTV１４は現在設定されているDVCR１０と第１DTV１２との点対点連結に重畳されて点対点連結やブロードキャスト-イン連結を設定しようとする。
【０００６】
第２DTV１４とDVCR１０との間に点対点連結が重複設定される場合には、DVCR１０のoPCRの内容はoPCR.P-２-P_Connection_Counter(P-２-Pcnt)＝２、oPCR.Channel_Number(nCh)＝３３になり、第２DTV１４のiPCRの内容はiPCR.P-２-P_Connection_Counter(P-２-Pcnt)＝１、iPCR.Channel_Number(nCh)＝３３になり、やはりこの情報に従って第２DTV１４は自分のIEEE-１３９４モジュールを制御する。これによって、第２DTV１４はDVCR１０の出力内容を見ることができる。
【０００７】
また、第２DTV１４とDVCR１０との間にブロードキャスト-イン連結が重畳設定される場合には、DVCR１０のoPCRの内容はoPCR.P-２-P_Connection_Counter(P-２-Pcnt)＝１、oPCR.Broadcast_Connection_Counter(Boutcnt)＝１、oPCR.Channel_Number(nCh)＝３３になり、第２DTV１４のiPCRの内容はiPCR.Broadcast_Connection_Counter(Bincnt)＝１、iPCR.Channel_Number(nCh)＝３３になり、やはりこの情報に従って第２DTV１４は自分のIEEE-１３９４モジュールを制御する。これによって、第２DTV１４はDVCR１０の出力内容を見ることができる。
【０００８】
また、他の場合としてDVCR１０と第１DTV１との間にブロードキャスト連結を通じて連結がなされた場合には、DVCR１０のoPCRの内容はoPCR.Broadcast_Connection_Counter(Boutcnt)＝１、oPCR.Channel_Number(nCh)＝３３になり、第１DTV１２のiPCRの内容はiPCR.Broadcast_Connection_Counter(Bincnt)＝１、iPCR.Channel_Number(nCh)＝３３になる。これにより、iPCRとoPCRの操作が成功的に遂行されればDVCR１０にチャンネル３３番を通じてブロードキャスト-アウト連結が設定され、第１DTV１２にチャンネル３３番を通じてブロードキャスト-イン連結が設定されたと称する。
【０００９】
このようなブロードキャスト連結設定状態を表示する連結設定情報によってDVCR１０と第１DTV１２のIEEE-１３９４モジュールを制御することによって、DVCR１０がビットストリームをチャンネル３３番に出力し第１DTV１２がチャンネル３３番の出力内容を入力され、これによりDVCR１０の出力内容を第１DTV１２が入力されうるようになる。このようにDVCR１０と第１DTV１２との間に連結が設定されている状態で、シンク機器の第２DTV１４がDVCR１０の現在出力内容を見るためには、第２DTV１４は現在設定されているDVCR１０のブロードキャスト-アウト連結に点対点連結を重複させたりブロードキャスト-イン連結を設定しようとする。第２DTV１４とDVCR１０との間に点対点連結が重畳設定される場合、DVCR１０のoPCRの内容はoPCR.P-２-P_Connection_Counter(P-２-Pcnt)＝１、oPCR.Broadcast_Connection_Counter(Boutcnt)＝１、oPCR.Channel_Number(nCh)＝３３になり、第２DTV１４のiPCRの内容はiPCR.P-２-P_Connection_Counter(Bincnt)＝１、iPCR.Channel_Number(nCh)＝３３になり、やはりこの情報に従って第２DTV１４は自分のIEEE-１３９４モジュールを制御してDVCR１０を出力されて見ることができる。もし、第２DTV１４とDVCR１０との間にブロードキャスト-イン連結が設定される場合には、DVCR１０のoPCRの内容はoPCR.P-２-P_Connection_Counter(P-２-Pcnt)＝１、oPCR.Broadcast_Connection_Counter(Boutcnt)＝１、oPCR.Channel_Number(nCh)＝３３になり、第２DTV１４のiPCRの内容はiPCR.Broadcast_Connection_Counter(Bincnt)＝１、iPCR.Channel_Number(nCh)＝３３になり、やはりこの情報に従って第２DTV１４は自分のIEEE-１３９４モジュールを制御してDVCR１０の出力を入力されうるようになる。
【００１０】
従って、従来の技術に係るデジタルインタフェースの連結管理方法によれば、ソース機器とシンク機器との間に点対点連結やブロードキャスト連結が存在してビットストリームが伝えられている状態で、他の機器が既存の連結を通じて流れる内容をアクセスしようとする時使用者がこれを制御し難く、他の機器のアクセスを制限なしに許す。例えば、DVCR１０と第１DTV１２を親の部屋のDVCRとDTVとし、第２DTVを子供の部屋のDTVとすれば、親が見るVCRのビットストリーム内容を子供が無制限的にアクセスできるようになる。
【００１１】
即ち、従来の技術に係るデジタルインタフェースの連結管理方法によれば、第３者機器が既存の連結に任意にアクセスできるため、デジタル機器間の連結においてプライバシーが保証されないという問題点がある。
【００１２】
【発明が解決しようとする課題】
本発明が解決しようとする技術的課題は、デジタル機器間に連結が設定されている時、既存連結の使用者がこの連結を通じて伝送されているビットストリームに対して第３者機器のアクセスを制御できるデジタルインタフェースの連結管理方法を提供することである。
【００１３】
【課題を解決するための手段】
前記課題を達成するために、本発明の一側面に係るデジタルインタフェースの連結管理方法は、デジタルインタフェースにより連結された複数個の機器に対する連結管理を遂行するデジタルインタフェースの連結管理方法において、
（ｐａ−１）前記複数個の機器のうちの第２の機器と連結を行った、レジスタを内蔵する第１の機器が、動作モードを、該連結に重畳的に連結し得る通常的な動作を遂行するノーマルモードから、該連結に重畳的に連結し得ない非通常的な動作を遂行するプライベートモードへの遷移を要求する命令語を受信する段階と、
（ｐａ−２）前記第１の機器が前記命令語に応答して前記プライベートモードに遷移する段階と、
（ｐａ−３）前記第１の機器が前記レジスタのうちの関連レジスタにアクセスできる権利を有する機器を識別して識別された該機器の情報を貯蔵する段階と、
（ａ）前記第１の機器の前記関連レジスタに対する前記第３の機器のアクセス要求がある場合に、該第３の機器が該関連レジスタにアクセスできる権利を有するかどうかを前記プライベートモードに遷移した該第１の機器が判断する段階と、
（ｂ）前記第３の機器が前記関連レジスタにアクセスできる権利を有すると判断された場合、前記第１の機器は、該第３の機器のアクセス要求に応じる段階とを含むことを特徴とする。
【００１４】
また前記方法は、前記(a)段階以前に、(pa-１) 前記任意の第１機器が動作モードをプライベートモードに遷移することを要求する命令語を受信する段階と、(pa-２) 前記第１機器が前記命令語に応答してプライベートモードに遷移する段階とをさらに含むことが望ましい。
【００１５】
また前記方法は、前記（ａ）段階以前に、（ｐａ−３）第１機器が関連レジスターをアクセスできる権利を有する機器を識別して識別された情報を貯蔵する段階をさらに含むことが望ましい。
【００１６】
また前記方法は、第１機器が関連レジスターに対する第３者機器のアクセス要求があるかどうかを識別する段階をさらに含むことが望ましい。
【００１７】
また前記方法は、関連レジスターに対する第３者機器のアクセス要求がある場合、前記第１機器は識別された情報から前記第３者機器がアクセスできる権利を有する機器であるかどうかを識別する段階をさらに含むことが望ましい。
【００１８】
また前記関連レジスターは、前記第３者機器がアクセスしようとする前記第１機器のoPCRであることが望ましい。
【００１９】
また前記命令語は、デジタルインタフェースで連結されたデジタル機器間で前記機器が共有するバス上でビットストリームを含むオーディオ/ビデオ(A/V)制御を効率的に遂行するためのAV/C命令語トランザクションセット内で定義された命令語であることが望ましい。
【００２０】
また前記方法は、前記プライベートモードへの遷移の要求は、機器全体、サブユニットまたは特定出力プラグを単位として前記命令語によりなされ、
前記第１の機器は、前記命令語に応答して前記機器全体、前記サブユニットまたは前記特定出力プラグを単位として前記プライベートモードに遷移することをさらに含むことが望ましい。
【００２１】
また前記（ｐａ−３）段階は、第１機器が全体的にプライベートモードに遷移する場合には、第１機器に点対点連結やブロードキャスト連結によって関連している機器に対して識別を遂行し、特定サブユニットや特定出力プラグがプライベートモードに遷移される場合には、現在サブユニットや出力プラグに関連している機器に対して識別を遂行して、識別された情報を貯蔵する段階であることが望ましい。
【００２２】
また前記アクセス要求は、第１機器から出力されるビットストリームを第３者機器が受け入れることを要求する読出し要求であることが望ましい。
【００２３】
代案的に、前記アクセス要求は、第１機器から出力されるビットストリームをロックすることを要求するロック要求であることが望ましい。
【００２４】
また前記（ｂ）段階は、
（ｂ−２）前記第３の機器が前記関連レジスタにアクセスできる権利を有しないと判断された場合には、前記第１の機器から前記第３の機器にエラーコードをリターンする段階をさらに含むことが望ましい。
【００２５】
また前記(b)段階は、(b-３) 前記第１機器から前記第３者機器にエラーコードをリターンする段階をさらに含むことが望ましい。
【００２６】
また前記デジタルインタフェースは、IEEE-１３９４標準に準ずるものであることが望ましい。
【００２７】
また（ａ−１）前記複数個の機器のうちの第１の機器に連結された第２の機器が、該第１の機器から出力されて該第２の機器に表示されているビットストリームをプライベートに管理しようとする使用者の要求に対応して、前記命令語を該第１の機器に発送する段階を含むことが好ましい。
【００２８】
【発明の実施の形態】
以下、添付した図を参照して本発明の望ましい実施例を詳細に技術する。
【００２９】
図３には、本発明の一実施例に係るデジタルインタフェースの連結管理方法をフローチャートとして示した。図４には、図３の方法に係る連結管理動作を説明するための図である。
【００３０】
図３と図４を参照して、本発明の一実施例に係るデジタルインタフェースの連結管理方法を説明する。以下で、本発明に係る連結管理方法が適用されるデジタルインタフェースはIEEE-１３９４規格に準ずるインタフェースであると仮定して説明する。本発明によれば、点対点連結またはブロードキャスト連結によって連結される各機器に対する動作モードを、デジタルインタフェース規格、即ち、例えばIEEE-１３９４標準で記述する通常的な動作を遂行するノーマルモードと、本発明の特徴的な動作を遂行するプライベートモードとに区分して定義する。このような動作モードの設定は機器全体を単位としてなされる場合もあり、サブユニットまたは出力プラグを単位としてなされる場合もある。
【００３１】
先ず、ソース機器３２とシンク機器３６が３３番チャンネルを通じて連結されており、ソース機器３２から出力されたビットストリームがシンク機器３６に伝送されている状況を仮定する。
【００３２】
さて、使用者はソース機器３２で動作モードをプライベートモードに遷移することを要求する(段階３００)。このような使用者要求はソース機器を制御することに用いられるリモコンによって遂行されうる。
【００３３】
一方、このような命令語を伝達されたソース機器３２は前記命令語に応答して機器全体、サブユニットまたは特定出力プラグをプライベートモードに遷移する(段階３０２)。なお、プライベートモードで動作するソース機器３２は関連レジスターをアクセスできる権利を有する機器を識別してその情報を貯蔵する(段階３０４)。ここで、識別の対象になる機器は、ソース機器３２が全体的にプライベートモードに遷移する場合にはソース機器３２に点対点連結やブロードキャスト連結によって関連されている機器に該当される場合もあり、特定サブユニットや特定出力プラグがプライベートモードに遷移される場合には現在サブユニットや出力プラグに関連している機器に該当される場合もある。また、ネットワーク全体に管理者概念が存在して管理者機器があり、この管理者機器もこのような権利を有する機器に含まれる場合もある。
【００３４】
次に、ソース機器３２は関連レジスターに対する第３者機器３４のアクセス、特に読出しとロック要求があるかどうかを識別(段階３０６)する。もし、要求がある場合には該当第３者機器が貯蔵された機器に含まれるかどうかを識別する(段階３０８)。段階３０８で該当第３者機器が貯蔵された機器に含まれると識別された場合、ソース機器は第３者機器の要求に応じる(段階３１０)。反面、該当第３者機器が貯蔵された機器に含まれない場合にはソース機器から第３者機器にエラーコードRESP_TYPE_ERRORをリターン(段階３１２)し、その要求に応じない(段階３１４)。
【００３５】
これにより、第３者機器３４はこのソース機器３２に対する点対点連結を設定したり、このソース機器３２がビットストリームを出力するチャンネルに対してブロードキャスト-イン連結を設定するための基本情報(oPCR、またはチャンネル情報)を得られないため、第３者機器３４が正常な方法では使用者がプライベート要求をしたビットストリームをアクセスできない。
【００３６】
従って、本発明に係るデジタルインタフェースの連結管理方法によれば、デジタル機器間に連結が設定されている時、既存連結の使用者がこの連結を通じて伝送されているビットストリームに対して第３者機器のアクセスを制御でき、既存連結に対するプライバシーを保証できる。
【００３７】
代案的に、本発明の他の実施例によれば、シンク機器４６で表示されているビットストリームをプライベートに管理することも可能である。図５と図６を参照して本発明の他の実施例に係るデジタルインタフェースの連結管理方法を説明する。
【００３８】
以下、本発明に係る連結管理方法が適用されるデジタルインタフェースはIEEE-１３９４規格に準ずるインタフェースであると仮定して説明する。図５と図６を参照するに、使用者はシンク機器４６に表示されているビットストリームをプライベートに管理しようとすることを表示する要求をシンク機器４６に伝達する(段階４００)。このような要求はシンク機器４６の制御のためのリモコンによってシンク機器４６に伝えられうる。シンク機器４６はこのような要求を受信して特定命令語を使用して前記要求をソース機器４２にリレーする(段階４０２)。このような特定命令語としては、デジタルインタフェースで連結されたデジタル機器間で前記機器が共有するバス上でビットストリームを含むオーディオ/ビデオ(A/V)制御を効率的に遂行するためのAV/C命令語トランザクションセット(Audio-Video Control Command Set)内で定義された命令語を使用できる。
【００３９】
次に、シンク機器４６はAV/C命令語形態の要求に応答してプライベートモードに遷移する(段階４０４)。さて、プライベートモードで動作するソース機器４２は、関連レジスターをアクセスできる権利を有する機器を識別してその情報を貯蔵する(段階４０６)。ここで、識別の対象になる機器は、ソース機器４２が全体的にプライベートモードに遷移する場合にはソース機器４２に点対点連結やブロードキャスト連結によって関連している機器に該当されうり、特定サブユニットや特定出力プラグがプライベートモードに遷移される場合には現在サブユニットや出力プラグに関連している機器に該当されうる。また、ネットワーク全体に管理者概念が存在して管理者機器があり、この管理者機器もこのような権利を有する機器に含まれる場合もある。
【００４０】
次に、ソース機器４２は関連レジスターに対する第３者機器４４のアクセス、特に読出しとロック要求があるかどうかを識別(段階４０８)する。もし、要求がある場合には該当第３者機器４４が貯蔵された機器に含まれるかどうかを識別する(段階４１０)。段階４１０で該当第３者機器４４が貯蔵された機器に含まれると識別された場合、ソース機器４２は第３者機器４４の要求に応じる(段階４１２)。反面、該当第３者機器４４が貯蔵された機器に含まれない場合にはソース機器４２から第３者機器４４にエラーコードRESP_TYPE_ERRORをリターン(段階４１４)し、その要求に応じない(段階４１６)。
【００４１】
これにより、使用者がシンク機器４６を通じてビットストリームのプライベート化を要請した場合にも、第３者機器４４はこのソース機器４２に対する点対点連結を設定したりこのソース機器４２がビットストリームを出力するチャンネルに対してブロードキャスト-イン連結を設定するための基本情報(oPCR、またはチャンネル情報)を得られないため、第３者機器４４が正常な方法では使用者がプライベート要求をしたビットストリームをアクセスできない。
【００４２】
従って、本発明に係るデジタルインタフェースの連結管理方法によれば、既存連結の使用者がこの連結を通じて伝送されているビットストリームに対する第３者機器のアクセスを制御でき、デジタル機器間の連結においてプライバシーが保証される。
【００４３】
一方、前記のような方法は、マイクロプロセッサーまたはプロセッサーを含むコンピュータで実行されうるプログラムで作成可能である。また、前記プログラムは磁気記録媒体または光記録媒体のような記録媒体に貯蔵されうる。また、望ましくは前記プログラムはROM、及びフラッシュメモリのようなメモリに貯蔵されうる。また、前記プログラムはデジタルインタフェースで連結された機器内に分散されて貯蔵され実行されうる。
【００４４】
前記方法を具現するプログラムを貯蔵したフラッシュメモリと前記フラッシュメモリから前記プログラムを読取ってプログラムを実行するマイクロプロセッサーは、デジタルインタフェースに連結された機器に対する制御動作を遂行するファームウエアを構成する。また、ファームウエアによって遂行される制御動作は、当業者によって理解されうるようにデジタルインタフェースで連結された機器間で遂行されるソフトウェア的なプロトコールとして作用する。
【００４５】
また、前記実施例では、特定命令語としてAV/C命令語トランザクションセット内で定義された命令語を使用することを実施例として説明したが、これは説明のためのものであってHWW(Home Wide Web)、HAVi(Home Audio/Video interoperability)、CAL及びEHSのような他の制御プロトコールで定義した命令語を使用することができる。即ち、本発明は前記実施例に限られず、前記実施例は請求項によって定義される本発明の範囲を制限しない。
【００４６】
【発明の効果】
前述したように本発明に係るデジタルインタフェースの連結管理方法は、既存連結の使用者がこの連結を通じて伝送されているビットストリームに対する第３者機器のアクセスを制御でき、デジタル機器間の連結でプライバシーを保証できる。
【図面の簡単な説明】
【図１】従来のデジタルインタフェースの連結管理方法を説明するための図である。
【図２】  IEC-６１８８３規格で用いられるoPCR及びiPCRレジスターの連結関連フィールドを示す図である。
【図３】本発明の一実施例に係るデジタルインタフェースの連結管理方法を示すフローチャートである。
【図４】図３の連結管理方法に係る動作を説明するための図である。
【図５】本発明の他実施例に係るデジタルインタフェースの連結管理方法を示すフローチャートである。
【図６】図５の方法に係る連結管理動作を説明するための図である。
【符号の説明】
３２、４２  ソース機器
３４、４４  第３者機器
３６、４６  シンク機器
【図１】
0003652587.tif 000002
【図２】
0003652587.tif 000003
【図３】
0003652587.tif 000004
【図４】
0003652587.tif 000005
【図５】
0003652587.tif 000006
【図６】
0003652587.tif 000007